(57)【要約】      （修正有）【課題】ヘッド部の傾き角を大きくすることができるとともに回転させることもでき、シャワー水の噴射方向を３次元方向方向に向けて大きく変えることができ、曲げや回転の操作する力を調整することができ、使い勝手に優れたシャワーヘッドを提供する。【解決手段】ヘッド部２とグリップ１の間に、複数のオス形球面と複数のメス形球面をそれぞれ回動自在に嵌合してなる複数球面関節型屈曲自在パイプ３を設ける。さらに、屈曲自在パイプの内側に、このパイプの変形に伴って屈曲可能であって、グリップ側からヘッド側に水を導くフレキシブルホース２０を配し、かつ上記オス形球面とメス形球面の摩擦力を調節するアジャストリング１８を設けた。【選択図】図２
0003168073.tif 000002
【実用新案登録請求の範囲】
【請求項１】
散水部を備えたヘッド部と、
シャワーホースに接続されるグリップと、これらヘッド部とグリップとの間に設けられた屈曲自在パイプと、この屈曲自在パイプの内部に挿通されグリップ側からヘッド側に通水を導く屈曲可能なフレキシブルホースとを具備し、
この屈曲自在パイプは、
一端に内面が球面となっているメス形球面を有するとともに他端に連結ねじ部を備えた一対のメス型パイプと、
一端に外面が上記メス形球面に嵌合して回動自在に摺接するオス形球面を有するとともに他端に結合ねじ部を備え、それぞれ上記メス型パイプの連結ねじ部側から挿入されて結合ねじ同士で結合される一対のオス型パイプと、
内面に上記オス型パイプのオス形球面に嵌合して回動自在に摺接するメス形球面を有し外面に上記メス型パイプの連結ねじ部に螺合される調節ねじ部を有するアジャストリングと、
を備えることにより球面関節部が複数個設けられた複数球面関節型屈曲自在パイプとなっており、
上記フレキシブルホースは、
上記屈曲自在パイプの曲がりに伴って屈曲し、少なくとも一端がヘッド部およびグリップの少なくとも一方に対し回動可能に連結されている、
ことを特徴とするシャワーヘッド。
【請求項２】
フレキシブルホースは、少なくとも一端にゴム質のリング形シール材を備えており、この端部がヘッド部またはグリップに形成された通水路に通じるホース差込口に挿入され、上記リング形シール材が差込口の内周面に回動可能に摺接していることを特徴とする請求項２に記載のシャワーヘッド。
【考案の詳細な説明】
【技術分野】
【０００１】  本考案は、一般家庭の浴室や浴場、温泉、ホテルのバスルーム等に設けられて身体や頭髪等を洗うシャワーヘッドに関する。
【背景技術】
【０００２】  一般家庭の浴室や浴場、温泉、ホテルのバスルームなどで使用されるシャワーヘッドは、グリップ部とヘッド部を有し、通常、グリップ部の基端側がシャワーホースに接続されているとともに浴室の壁面に取り付けられた支持フックに引っ掛けられるようになっている。このようなシャワーヘッドが支持フックに支持された状態では、ヘッドの向き、すなわちシャワー水の噴射方向は一定となり、シャワー水の当る領域が特定される。
しかしながら、使用者がシャワーを浴びる際、使用者の体格や立ち位置又は椅子に座った位置により、使用者の希望する場所にシャワー水が届かない場合がある。このようなとき、使用者が移動してシャワー水を望む場所に当るように調整したり、シャワーヘッドを手で持って動かしてシャワー水を希望する場所に当てる必要があった。
【先行技術文献】
【特許文献】
【０００３】
【特許文献１】  特開２００６−１０１９１４号
【考案の概要】
【考案が解決しようとする課題】
【０００４】    上記特許文献１には、シャワー水の噴射方向を変更可能にしたシャワー装置が開示されている。この種のヘッド部の噴射方向変更手段は、シャワーの基端部とヘッド部の間に球面継手を設け、この球面継手の回動作用によりヘッドの向きを上下、左右の方向に変更できるようにしたものである。
しかし、このような変更構造は、内部に通水路を形成した球面継手を採用しているのでヘッドを大きく傾けると通水路が塞がれる惧れがあり、よって曲げ角度が制約される。このため、シャワー水の噴射方向が制限され、例えばシャワー水が真下に届かない、などと言った不具合がある。
また、ヘッドの向きを変える場合、ヘッドを掴んで自分の希望する方向に加えるが、従来の場合、このような操作力を調節することができなかった。【０００５】  この考案の目的は、ヘッド部の曲げ角度を大きくすることができるとともに、調節に要する操作力を微調整することができ、使い勝手に優れたシャワーヘッドを提供しようとするものである。
【課題を解決するための手段】
【０００６】  請求項１の考案は、散水部を備えたヘッド部とシャワーホースに接続されるグリップとの間に屈曲自在パイプを設け、この屈曲自在パイプは、一端に内面が球面となっているメス形球面を有するとともに他端に連結ねじ部を備えた一対のメス型パイプと、一端に外面が上記メス形球面に嵌合して回動自在に摺接するオス形球面を有するとともに他端に結合ねじ部を備え、それぞれ上記メス型パイプの連結ねじ部側から挿入されて結合ねじ同士で結合される一対のオス型パイプと、内面に上記オス型パイプのオス形球面に嵌合して回動自在に摺接するメス形球面を有し外面に上記メス型パイプの連結ねじ部に螺合される調節ねじ部を有するアジャストリングと、を備えることにより球面関節部が複数個設けられた複数球面関節型屈曲自在パイプとなっており、上記屈曲自在パイプの内部に、上記屈曲自在パイプの曲がりに伴って屈曲し、グリップ側からヘッド側に通水を導く屈曲可能なフレキシブルホースを挿通し、このフレキシブルホースは、少なくとも一端がヘッド部およびグリップの少なくとも一方に対し回動可能に連結されている、ことを特徴とするシャワーヘッドが提供される。
請求項２の考案は、フレキシブルホースは、少なくとも一端にゴム質のリング形シール材を備えており、この端部がヘッド部またはグリップに形成された通水路に通じるホース差込口に挿入され、上記リング形シール材が差込口の内周面に回動可能に摺接していることを特徴とするシャワーヘッドが提供される。
【考案の効果】
【０００７】  請求項１の考案によれば、ヘッド部とグリップの間に、メス形球面とオス形球面が摺接して相互に回動する球面関節を複数個備えた複数球面関節型屈曲自在パイプが設けられているので、このパイプは屈曲することができるばかりでなく、球面関節部が複数個形成されるので、従来の単一の球面継手タイプに比べて、曲げ角度を大きくすることができる。よって、ヘッド部の傾き角を大きくすることができ、シャワー水の噴射方向を大きく変更することができる。
そして、球面関節構造はオス型パイプとメス型パイプを相互に回転させることできるので、ヘッド部を屈曲自在パイプの軸線の回りに回転させることもできる。この場合、通水路を構成する屈曲自在なフレキシブルホースは、少なくとも一端がヘッド部およびグリップの少なくとも一方に対し回動可能に連結されているから、上記屈曲自在パイプが曲がればフレキシブルホースも追随して曲がるとともに、ヘッド部を屈曲自在パイプの軸線の回りに回転させた場合には少なくともフレキシブルホースの一端とヘッド部またはグリップが相互に回動し、よってフレキシブルホースに捩れが生じない。この結果、フレキシブルホースがヘッド部の回転の邪魔をしないとともに、グリップ側からヘッド側に向かう通水路を確保する。
また、屈曲自在パイプのメス型パイプにアジャストリングを螺合してあるので、オス型パイプのストッパとなるばかりでなく、このアジャストリングの位置を調節すれば互いに摺接するオス形球面とメス形球面の摩擦力を調節することができる。よって、屈曲自在パイプを曲げたり回した場合に、その状態を保つ形状保持に必要な摩擦力や、曲げや回転をさせるために外から加える調節力を調整したり、摺動面が磨耗した場合の摩擦力の調節をすることが可能になる。
請求項２の考案によれば、フレキシブルホースの端部に設けたリング形シール材が差込口の内周面に回動可能に摺接しているので、フレキシブルホースとヘッド部またはグリップとの相対的な回動が円滑に行え、ヘッド部を回しても水漏れが発生するのを防止する。
【図面の簡単な説明】
【０００８】
【図１】  実施例１を示し、シャワーヘッドの使用状況を示す側面図であり、（Ａ）図は直立姿勢の図、（Ｂ）図は俯き状態に調節した姿勢の図、（Ｃ）図は仰向き状態に調節した姿勢の図
【図２】  同シャワーヘッドの断面図
【図３】  同シャワーヘッドに用いた屈曲自在パイプを分解した断面図
【図４】  同シャワーヘッドに用いたフレキシブルホースの断面図
【考案を実施するための形態】
【０００９】
【実施例１】
【００１０】    実施例１について、図１ないし図４にもとづき説明する。図１はシャワーヘッドの使用状況を示す側面図であり、（Ａ）図は直立姿勢の図、（Ｂ）図はヘッド部の向きを下向きに調節した姿勢の図、（Ｃ）図は上向きに調節した姿勢の図、図２は同シャワーヘッドの断面図、図３は同シャワーヘッドに用いた屈曲自在パイプを分解した断面図、図４は同シャワーヘッドに用いたフレキシブルホースの断面図である。
１はシャワーヘッドを構成するグリップであり、２はヘッド部である。これらグリップ１およびヘッド部２は、それぞれ合成樹脂にて形成されており、互いに分割されている。これらグリップ１とヘッド部２の間には、ヘッド部の向きを調節可能な屈曲自在パイプ３と、グリップ側からヘッド側に通水を導くための通水路としてフレキシブルホース２０が設けられている。
グリップ１は、基端部に接続ねじ部４を有しており、このねじ部４はシャワーホース５に取り付けられたホース金具（樹脂製もあり）６に接続される。シャワーホース５は給水源としての図示しない混合栓などに接続される。ホース金具６は、浴室の壁に取り付けたＵ字形の支持フック７に差し込まれるようになっており、これにより、シャワーヘッドは支持フック７に脱着可能に支持される。
グリップ１内には、基端から先端に至るグリップ側通水路８が形成されている。この通水路８の先端にはホース差込口８ａが形成されている。また、グリップ１の先端には連結オスねじ部９が形成されている。
ヘッド部２は、前面に散水板１０を備えており、この散水板１０には多数の散水孔１１が形成されている。この散水板１０は水密を保つゴムなどのパッキン材１２を介して押えリング１３によってヘッド部２に脱着可能に取付けられている。
また、ヘッド部２には、グリップ側から流れてくる水（お湯）を散水板１０に導くヘッド側通水路１４が形成されており、このヘッド側通水路１４の上記グリップ１に対向する基端部にはホース差込口１４ａが形成されている。さらに、ヘッド部２の基端部には連結オスねじ部１５が形成されている。【００１１】  上記グリップ１とヘッド部２の間に設けられた屈曲自在パイプ３について説明する。
屈曲自在パイプ３は、上記ヘッド部２をグリップ１に対して上下および左右方向の向きを調節すべく、手で外力を加えると屈曲変形および回転可能であり、しかも外力を除くとその屈曲形状および回転した位置を維持する機能を備えている。このため、屈曲自在パイプ３は、回動可能な球面関節部を複数個備えた複数球面関節型屈曲自在パイプとなっており、これは複数のパーツを組み合わせて構成してある。
本実施例の場合、図３にも示される通り、それぞれ合成樹脂（金属でも可）からなる一対のメス型パイプ１６，１６と、一対のオス型パイプ１７，１７と、一対のアジャストリング１８，１８により構成されている。
メス型パイプ１６，１６は、一端に内面が球面となっているメス形球面１６ａ，１６ａを有するとともに他端に連結メスねじ部１６ｂ、１６ｂを備えている。この連結メスねじ部１６ｂ、１６ｂは、グリップ１およびヘッド部２の連結オスねじ部９および１５にねじ込まれる。
オス型パイプ１７，１７は、それぞれ一端に外面がオス形球面１７ａ，１７ａを有するとともに他端に相互に螺着可能な結合ねじ部１７ｂ、１７ｃを備えている。上記オス形球面１７ａ，１７ａは、上記メス型パイプ１６，１６の各メス形球面１６ａ，１６ａに回動可能に嵌合し、互いに摺接するように、曲率を等しくしてある。
そして、メス型パイプ１６におけるメス形球面１６ａ側の開口部の内径ｄは、オス型パイプ１７，１７におけるそれぞれオス形球面１７ａ，１７ａの外径Ｄより小さく（ｄ＜Ｄ）となっており、オス形球面１７ａ，１７ａは内径ｄの開口部より抜け出ないようになっている。しかしながら、オス型パイプ１７，１７のそれぞれ他端に形成した結合ねじ部１７ｂ、１７ｃの外径Ｄ１は、メス型パイプ１６の開口部の内径ｄより小さく（ｄ＞Ｄ１）なっている。
アジャストリング１８，１８は、内面に上記オス型パイプ１７，１７のオス形球面１７ａ，１７ａに嵌合して回動自在に摺接するメス形球面１８ａ，１８ａを有しており、外面に上記メス型パイプの連結ねじ部１６ｂ、１６ｂに螺合される調節ねじ部１８ｂ，１８ｂを有する。上記メス形球面１８ａ，１８ａは、上記メス型パイプ１６，１６のメス形球面１６ａ，１６ａと同様な曲率を有する。【００１２】  上記のメス型パイプ１６、オス型パイプ１７およびアジャストリング１８は、以下のようにして組み立てられる。
すなわち、オス型パイプ１７，１７を、図３の矢印で示すように、その結合ねじ部１７ｂ、１７ｃ側から、メス型パイプ１６，１６の連結メスねじ部１６ｂ側の開口より挿通し、これら結合ねじ部１７ｂ、１７ｃを内径ｄの開口部より突出させる。これら突出した結合ねじ１７ｂ、１７ｃ同士を互いにねじ結合すると、一対のオス型パイプ１７，１７が一体的に連結される。
次に、アジャストリング１８を、同じく図３の矢印で示すように、メス型パイプ１６，１６の連結メスねじ部１６ｂに螺合し、メス形球面１８ａ，１８ａをオス型パイプ１７，１７のオス形球面１７ａ，１７ａに当接させる。これにより、アジャストリング１８，１８はオス型パイプ１７，１７が矢印方向と逆方向に抜けるのを防止するストッパとなっている。
上記の作業により、メス型パイプ１６，１６、オス型パイプ１７，１７およびアジャストリング１８，１８が相互に組みつけられ、全体としてパイプ形状になるとともに、メス形球面１６ａ，１６ａとオス形球面１７ａ、１７ａの摺接する球面関節部が軸方向に２箇所形成されるので、複数球面関節型屈曲自在パイプとなる。
そして、この屈曲自在パイプ３は、メス型パイプ１６，１６に形成した連結ねじ部１６ｂ、１６ｂを、グリップ側連結ねじ部９およびヘッド側連結ねじ部１５にねじ込むことで、グリップ１とヘッド部２に掛け渡され、これらグリップ１とヘッド部２を機械的に連結する。【００１３】  上記屈曲自在パイプ３の内部には、通水路としてフレキシブルホース２０が挿通されている。フレキシブルホース２０は、図４に示されるとおり、例えば水道用ホース、耐圧ホース、またはシリコーン製ゴムホースなどのホース２１の両端に差込コネクタ２２，２２を備え、これらコネクタ２２，２２にゴム質のリング形シール材として、例えばＯリング２３，２３を装着して構成されている。差込みコネクタ２２は竹の子口２２ａを有し、この竹の子口２２ａにホース２１の両端を押し込みにて差し込んである。
このようなフレキシブルホース２０は、両端のコネクタ２２，２２をグリップ側通水路８のホース差込口８ａおよびヘッド側通水路１４のホース差込口１４ａに挿入することで中心軸線上に配置されるとともに、シャワーホース５より供給される水をグリップ側通水路８からヘッド側通水路１４に導くようになっている。
また、両端のコネクタ２２，２２をグリップ側通水路８のホース差込口８ａおよびヘッド側通水路１４のホース差込口１４ａに挿入した場合、Ｏリング２３，２３がホース差込口８ａ，１４ａの内周面に密着して水漏れを防止するとともに、Ｏリング２３，２３がホース差込口８ａ，１４ａの内周面と摺接することで、グリップ１およびヘッド部２に対し回ることができるようになっている。【００１４】  このような構成の実施例１について、作用を説明する。
シャワーヘッドを浴室の壁の支持フック７に引っ掛けて使用する場合、散水板１１の向き、すなわちシャワー水の噴射方向は一定の向きになるが、シャワー水の向きを変えたいときは、使用者がヘッド部２を掴んで変えたい方向に向ける。すると、屈曲自在パイプ３が自在に屈曲または回転するのでヘッド部２の向きを３次元的に変えることができる。よってシャワー水の噴射方向を変えることができる。
この場合、屈曲自在パイプ３はメス形球面とオス形球面が結合された球面継手箇所を２箇所持っているので、１箇所の屈曲点をもつ従来の場合に比べて曲げ角度を大きくすることができ、例えば図１の（Ｂ）図および（Ｃ）図で示すように、上下方向に向けて大きく曲げることができる。
さらに、メス形球面とオス形球面の嵌合構造は、球面と球面が相互に回転可能であるから、屈曲自在パイプ３を曲げ変形させるばかりでなく、図１の（Ａ）図の矢印で示すように、ヘッド部２を屈曲自在パイプ３の軸線の回りに回転させることができるので、曲げ変形と回転により、ヘッド部３の向きを３次元方向に変更することができる。
よって、シャワー水の噴射方向を大きく変えることができる。【００１５】  そして、このように屈曲自在パイプ３を屈曲変形させた場合、内部に挿通されているホース２０は、自身が屈曲自在であるため屈曲自在パイプ３の曲がりに追随して曲がる。
また、ヘッド部２を屈曲自在パイプ３の軸船回りに回転させた場合、フレキシブルホース２０に捩りが加わるが、フレキシブルホース２０の両端のＯリング２３，２３がホース差込口８ａ，１４ａに摺接して回り、ホースの捩れを防止することができる。この場合、Ｏリング２３はホース差込口８ａ，１４ａの内周面に対し、接触面積が小さい状態で接するので、抵抗が小さく、グリップ１およびヘッド部２に対し円滑に回り、ホースの捩れを防止することができる。
よって、フレキシブルホース２０は、屈曲自在パイプの曲がりや回転に追随し、通水経路を確保することができる。【００１６】  また、メス型パイプ１６，１６に螺合してあるアジャストリング１８，１８を回して螺進させると、アジャストリング１８，１８のメス形球面１８ａ，１８ａがオス型パイプ１７，１７のオス形球面１７ａ、１７ａを押す。これにより、オス形球面１７ａ、１７ａと、メス形球面１６ａ，１６ａおよび１８ａ、１８ａとの摩擦力が大きくなる。また、抵抗が大きい場合はアジャストリング１８，１８を緩めて抵抗を小さくすることもできる。【００１７】  上記実施例では、ゴム質のリング形シール材としてＯリング２３，２３を用いた例を説明したが、Ｏリングに代わり、Ｕ字，Ｖ字、Ｌ字などのリップを有するリング形のパッキンや、オイルシールなどのリング形をもつシール材を用いてもよい。
【産業上の利用可能性】
【００１８】  以上説明した通り本考案によれば、ヘッド部とグリップの間に掛け渡した屈曲自在パイプが球面関節構造となっているので、ヘッド部の向きを変えることができ、しかも球面関節箇所を２箇所備えるから、曲げ角度を大きくすることができる。しかもヘッド部を回転させることもできるから、シャワー水の噴射方向を３次元的な方向に変更可能である。そしてまた、アジャストリングを操作することで摩擦力や操作する力を調整することができ、使い勝手が向上する。
【符号の説明】
【００１９】１…グリップ
２…ヘッド部
３…屈曲自在パイプ
８ａ，１４ａ…ホース差込口
１６…メス型パイプ
１６ａ…メス形球面
１６ｂ…連結ねじ部
１７…オス型パイプ
１７ａ…オス形球面
１７ｂ、１７ｃ…結合ねじ部
１８…アジャストリング
１８ａ…メス形球面
１８ｂ…調節ねじ部
２０…フレキシブルホース
２１…ゴムホース
２２…コネクタ
２３…Ｏリング
【図１】
0003168073.tif 000003
【図２】
0003168073.tif 000004
【図３】
0003168073.tif 000005
【図４】
0003168073.tif 000006